【手続補正書】
【提出日】平成19年7月11日(2007.7.11)
【手続補正１】
【補正対象書類名】特許請求の範囲
【補正対象項目名】全文
【補正方法】変更
【補正の内容】
【特許請求の範囲】
【請求項１】
主編集装置に記憶した画像を形成する階層符号化データの編集作業を、ネットワークを介して遠隔編集装置で行う遠隔編集システムであって、
前記主編集装置は、前記階層符号化データのうち、所定の階層レベルに属するものを前記遠隔編集装置に送信し、
前記遠隔編集装置は、前記送信された階層符号化データを用いた編集作業を受け付けて、編集により編集画像データの生成に必要となった階層符号化データを前記主編集装置に要求し、前記要求に応じて前記主編集装置から送信されてきた階層符号化データを用いて編集画像データを生成することを特徴とする遠隔編集システム。
【請求項２】
画像を形成する階層符号化データを記憶したデータ記憶手段と、
前記記憶した階層符号化データのうち、所定の階層レベルに属する階層符号化データを遠隔編集装置に送信するデータ送信手段と、
前記遠隔編集装置から、前記遠隔編集装置で編集画像データを生成するために必要な階層符号化データの送信要求を受け付ける要求データ受付手段と、
前記要求された階層符号化データを前記遠隔編集装置に送信する要求データ送信手段と、
を具備したことを特徴とする主編集装置。
【請求項３】
前記要求データ受付手段で受け付ける要求では、画像の画像品質を規定する単数、又は複数の階層化要素の階層レベルが指定されており、前記要求データ送信手段は、前記記憶した階層符号化データのうち、前記指定された階層化要素ごとの階層レベルに対応する階層符号化データを送信することを特徴とする請求項２に記載の主編集装置。
【請求項４】
前記データ送信手段は、前記記憶した階層符号化データのうち、前記遠隔編集装置に対応した階層に属する階層符号化データを送信することを特徴とする請求項２に記載の主編集装置。
【請求項５】
前記遠隔編集装置に、前記記憶した階層符号化データの階層レベル構成と、前記送信した階層符号化データの階層レベル構成と、を送信する階層レベル構成送信手段を具備したことを特徴とする請求項２に記載の主編集装置。
【請求項６】
主編集装置から画像を形成する階層符号化データを受信するデータ受信手段と、
前記受信した階層符号化データを用いて画像を再生する再生手段と、
前記再生した画像を用いて編集作業を受け付ける編集手段と、
編集手段による編集により編集画像データの生成に必要な階層符号化データを前記主編集装置に要求するデータ要求手段と、
前記要求に応じて前記主編集装置から送信されてきた階層符号化データを受信し、前記受信した階層符号化データを用いて編集画像データを生成する編集画像データ生成手段と、
を具備したことを特徴とする遠隔編集装置。
【請求項７】
前記編集手段は、編集画像の画像品質を規定する複数の階層化要素ごとの階層レベルの指定を受け付け、前記データ要求手段は、前記指定した階層化要素ごとの階層レベルを前記主編集装置に送信することを特徴とする請求項６に記載の遠隔編集装置。
【請求項８】
前記階層化要素の階層レベルの選択を受け付ける階層レベル選択手段を具備し、
前記再生手段は、前記選択された階層レベルに対応する前記階層符号化データを用いて画像を再生することを特徴とする請求項６に記載の遠隔編集装置。
【請求項９】
前記主編集装置から、前記主編集装置で記憶している階層符号化データの階層レベル構成と、前記受信した階層符号化データの階層レベル構成と、を受信して提示する階層レベル提示手段を具備したことを特徴とする請求項６に記載の遠隔編集装置。
【請求項１０】
前記再生手段で再生されている画像の画像品質を規定する階層化要素の階層レベルと、前記指定した編集画像の画像品質を規定する階層化要素の階層レベルが異なる場合は、その旨を表示する警告表示手段を具備したことを特徴とする請求項７に記載の遠隔編集装置。
【請求項１１】
データ記憶手段と、データ送信手段と、要求データ受付手段と、要求データ送信手段と、を備えたコンピュータにおいて、
前記データ記憶手段によって、画像を形成する階層符号化データを記憶したデータ記憶ステップと、
前記データ送信手段によって、前記記憶した階層符号化データのうち、所定の階層レベルに属する階層符号化データを遠隔編集装置に送信するデータ送信ステップと、
前記要求データ受付手段によって、前記遠隔編集装置から、前記遠隔編集装置で編集画像データを生成するために必要な階層符号化データの送信要求を受け付ける要求データ受付ステップと、
前記要求データ送信手段によって、前記要求された階層符号化データを前記遠隔編集装置に送信する要求データ送信ステップと、
から構成されたことを特徴とする編集方法。
【請求項１２】
受信するデータ受信手段と、再生手段と、編集手段と、データ要求手段と、編集画像データ生成手段と、を備えたコンピュータにおいて、
前記データ受信手段で、主編集装置から画像を形成する階層符号化データを受信するデータ受信ステップと、
前記再生手段で、前記受信した階層符号化データを用いて画像を再生する再生ステップと、
前記編集手段で、前記再生した画像を用いて編集作業を受け付ける編集ステップと、
前記データ要求手段で、編集手段による編集により編集画像データの生成に必要な階層符号化データを前記主編集装置に要求するデータ要求ステップと、
前記編集画像データ生成手段で、前記要求に応じて前記主編集装置から送信されてきた階層符号化データを受信し、前記受信した階層符号化データを用いて編集画像データを生成する編集画像データ生成ステップと、
から構成されたことを特徴とする編集方法。
【請求項１３】
画像を形成する階層符号化データを記憶したデータ記憶機能と、
前記記憶した階層符号化データのうち、所定の階層レベルに属する階層符号化データを遠隔編集装置に送信するデータ送信機能と、
前記遠隔編集装置から、前記遠隔編集装置で編集画像データを生成するために必要な階層符号化データの送信要求を受け付ける要求データ受付機能と、
前記要求された階層符号化データを前記遠隔編集装置に送信する要求データ送信機能と、
をコンピュータで実現する編集プログラム。
【請求項１４】
主編集装置から画像を形成する階層符号化データを受信するデータ受信機能と、
前記受信した階層符号化データを用いて画像を再生する再生機能と、
前記再生した画像を用いて編集作業を受け付ける編集機能と、
編集機能による編集により編集画像データの生成に必要な階層符号化データを前記主編集装置に要求するデータ要求機能と、
前記要求に応じて前記主編集装置から送信されてきた階層符号化データを受信し、前記受信した階層符号化データを用いて編集画像データを生成する編集画像データ生成機能と、
をコンピュータで実現する編集プログラム。
【請求項１５】
請求項１３または請求項１４に記載の編集プログラムを記憶したコンピュータが読み取り可能な記憶媒体。
【手続補正２】
【補正対象書類名】明細書
【補正対象項目名】００２６
【補正方法】変更
【補正の内容】
【００２６】
本発明は、前記目的を達成するために、主編集装置に記憶した画像を形成する階層符号化データの編集作業を、ネットワークを介して遠隔編集装置で行う遠隔編集システムであって、前記主編集装置は、前記階層符号化データのうち、所定の階層レベルに属するものを前記遠隔編集装置に送信し、前記遠隔編集装置は、前記送信された階層符号化データを用いた編集作業を受け付けて、編集により編集画像データの生成に必要となった階層符号化データを前記主編集装置に要求し、前記要求に応じて前記主編集装置から送信されてきた階層符号化データを用いて編集画像データを生成することを特徴とする遠隔編集システムを提供する（第１の構成）。
また、本発明は、画像を形成する階層符号化データを記憶したデータ記憶手段と、前記記憶した階層符号化データのうち、所定の階層レベルに属する階層符号化データを遠隔編集装置に送信するデータ送信手段と、前記遠隔編集装置から、前記遠隔編集装置で編集画像データを生成するために必要な階層符号化データの送信要求を受け付ける要求データ受付手段と、前記要求された階層符号化データを前記遠隔編集装置に送信する要求データ送信手段と、を具備したことを特徴とする主編集装置を提供する（第２の構成）。
第２の構成において、前記要求データ受付手段で受け付ける要求では、画像の画像品質を規定する単数、又は複数の階層化要素の階層レベルが指定されており、前記要求データ送信手段は、前記記憶した階層符号化データのうち、前記指定された階層化要素ごとの階層レベルに対応する階層符号化データを送信するように構成することもできる（第３の構成）。
第２の構成において、前記データ送信手段は、前記記憶した階層符号化データのうち、前記遠隔編集装置に対応した階層に属する階層符号化データを送信するように構成することもできる（第４の構成）。
第２の構成において、前記遠隔編集装置に、前記記憶した階層符号化データの階層レベル構成と、前記送信した階層符号化データの階層レベル構成と、を送信する階層レベル構成送信手段を具備するように構成することもできる（第５の構成）。
また、本発明は、主編集装置から画像を形成する階層符号化データを受信するデータ受信手段と、前記受信した階層符号化データを用いて画像を再生する再生手段と、前記再生した画像を用いて編集作業を受け付ける編集手段と、編集手段による編集により編集画像データの生成に必要な階層符号化データを前記主編集装置に要求するデータ要求手段と、前記要求に応じて前記主編集装置から送信されてきた階層符号化データを受信し、前記受信した階層符号化データを用いて編集画像データを生成する編集画像データ生成手段と、を具備したことを特徴とする遠隔編集装置を提供する（第６の構成）。
第６の構成において、前記編集手段は、編集画像の画像品質を規定する複数の階層化要素ごとの階層レベルの指定を受け付け、前記データ要求手段は、前記指定した階層化要素ごとの階層レベルを前記主編集装置に送信するように構成することもできる（第７の構成）。
第６の構成において、前記階層化要素の階層レベルの選択を受け付ける階層レベル選択手段を具備し、前記再生手段は、前記選択された階層レベルに対応する前記階層符号化データを用いて画像を再生するように構成することもできる（第８の構成）。
第６の構成において、前記主編集装置から、前記主編集装置で記憶している階層符号化データの階層レベル構成と、前記受信した階層符号化データの階層レベル構成と、を受信して提示する階層レベル提示手段を具備するように構成することもできる（第９の構成）。
第７の構成において、前記再生手段で再生されている画像の画像品質を規定する階層化要素の階層レベルと、前記指定した編集画像の画像品質を規定する階層化要素の階層レベルが異なる場合は、その旨を表示する警告表示手段を具備するように構成することもできる（第１０の構成）。
また、本発明は、データ記憶手段と、データ送信手段と、要求データ受付手段と、要求データ送信手段と、を備えたコンピュータにおいて、前記データ記憶手段によって、画像を形成する階層符号化データを記憶したデータ記憶ステップと、前記データ送信手段によって、前記記憶した階層符号化データのうち、所定の階層レベルに属する階層符号化データを遠隔編集装置に送信するデータ送信ステップと、前記要求データ受付手段によって、前記遠隔編集装置から、前記遠隔編集装置で編集画像データを生成するために必要な階層符号化データの送信要求を受け付ける要求データ受付ステップと、前記要求データ送信手段によって、前記要求された階層符号化データを前記遠隔編集装置に送信する要求データ送信ステップと、から構成されたことを特徴とする編集方法を提供する（第１１の構成）。
また、本発明は、受信するデータ受信手段と、再生手段と、編集手段と、データ要求手段と、編集画像データ生成手段と、を備えたコンピュータにおいて、前記データ受信手段で、主編集装置から画像を形成する階層符号化データを受信するデータ受信ステップと、前記再生手段で、前記受信した階層符号化データを用いて画像を再生する再生ステップと、前記編集手段で、前記再生した画像を用いて編集作業を受け付ける編集ステップと、前記データ要求手段で、編集手段による編集により編集画像データの生成に必要な階層符号化データを前記主編集装置に要求するデータ要求ステップと、前記編集画像データ生成手段で、前記要求に応じて前記主編集装置から送信されてきた階層符号化データを受信し、前記受信した階層符号化データを用いて編集画像データを生成する編集画像データ生成ステップと、から構成されたことを特徴とする編集方法を提供する（第１２の構成）。
また、本発明は、画像を形成する階層符号化データを記憶したデータ記憶機能と、前記記憶した階層符号化データのうち、所定の階層レベルに属する階層符号化データを遠隔編集装置に送信するデータ送信機能と、前記遠隔編集装置から、前記遠隔編集装置で編集画像データを生成するために必要な階層符号化データの送信要求を受け付ける要求データ受付機能と、前記要求された階層符号化データを前記遠隔編集装置に送信する要求データ送信機能と、をコンピュータで実現する編集プログラムを提供する（第１３の構成）。
また、本発明は、主編集装置から画像を形成する階層符号化データを受信するデータ受信機能と、前記受信した階層符号化データを用いて画像を再生する再生機能と、前記再生した画像を用いて編集作業を受け付ける編集機能と、編集機能による編集により編集画像データの生成に必要な階層符号化データを前記主編集装置に要求するデータ要求機能と、前記要求に応じて前記主編集装置から送信されてきた階層符号化データを受信し、前記受信した階層符号化データを用いて編集画像データを生成する編集画像データ生成機能と、をコンピュータで実現する編集プログラムを提供する（第１４の構成）。
また、本発明は、第１３の構成または第１４の構成に記載の編集プログラムを記憶したコンピュータが読み取り可能な記憶媒体を提供する。